(57)【要約】【課題】  ワンセグ放送で提供するコンテンツでは使用できる帯域幅が狭いことから一画面に表示できる情報が少ない。また、基地局の配置関係などにより予め定められた提供エリア内では共通のコンテンツが配信され、提供エリア内のさらに小エリアのエリア情報を閲覧するためには、初期画面から階層表示された画面を何度も選択するなど、見たい情報に到達するまで複数の操作手順を踏む必要がある。そこで、より効率的に見たい情報を表示するサーバ、端末、情報配信システム及びプログラムが求められている。【解決手段】  上記目的を達成するために、本実施形態のサーバは、防災情報を受信する受信部と、前記防災情報に前記防災情報を優先して表示させる範囲である影響範囲情報を付加したデータ放送コンテンツを生成する演算処理部と、前記演算処理部により生成したデータ放送コンテンツを前記送信機へ送信する送信部と、を備える。【選択図】図１
2012182532.tif 000002
【特許請求の範囲】
【請求項１】
データ放送コンテンツを作成し、前記作成したコンテンツを送信機を介して端末に配信するサーバであって、
防災情報を受信する受信部と、
前記防災情報に前記防災情報を優先して表示させる範囲である影響範囲情報を付加したデータ放送コンテンツを生成する演算処理部と、
前記演算処理部により生成したデータ放送コンテンツを前記送信機へ送信する送信部と、
を備えるサーバ。
【請求項２】
ワンセグ放送コンテンツを表示する表示部と、
情報を優先して表示させる範囲である影響範囲情報を付加された防災情報を含む前記ワンセグ放送コンテンツを受信する受信部と、
自己の位置情報を取得し、前記ワンセグ放送コンテンツに付加された前記影響範囲情報と前記位置情報とを比較し、影響範囲内に前記端末が存在すると判定した場合には、優先して前記防災情報を前記表示部に表示させる演算処理部と、
を備える端末。
【請求項３】
ワンセグ放送コンテンツを表示する表示部と、
操作を演算処理部に伝達する入力部と、
小エリアのエリア情報を付加された防災情報を含む前記ワンセグ放送コンテンツを受信する受信部と、
自己の位置情報を取得し、前記ワンセグ放送コンテンツに付加された前記影響範囲情報と前記位置情報とを比較し、影響範囲内に前記端末が存在すると判定した場合には、前記影響範囲情報を付加されたワンセグ放送コンテンツは、前記小エリアに前記端末が存在すると判定した場合には、前記小エリアのエリア情報を付加されたワンセグ放送コンテンツは、他の小エリアのエリア情報をもつワンセグ放送コンテンツよりも前記入力部の操作が少ない回数で表示部に表示させる演算処理部と、
を備える端末。
【請求項４】
特定の範囲に対して、サーバで作成された防災情報を含むコンテンツを含むワンセグ放送コンテンツを送信機を介して端末へ配信する情報配信システムであって、
前記防災情報を受信する受信部と、
前記防災情報に前記防災情報を優先して表示させる範囲である影響範囲情報を付加したコンテンツを生成する演算処理部と、
前記演算処理部により生成したコンテンツを前記送信機へ送信する送信部と、
を備えるサーバと、
前記ワンセグ放送コンテンツを表示する表示部と、
情報を優先して表示させる範囲である影響範囲情報を付加された防災情報を含む前記ワンセグ放送コンテンツを受信する受信部と、
自己の位置情報を取得し、前記ワンセグ放送コンテンツに付加された前記影響範囲情報と前記位置情報とを比較し、影響範囲内に前記端末が存在すると判定した場合には、優先して前記防災情報を前記表示部に表示させる演算処理部と、
を備える端末と、
を備える情報配信システム。
【請求項５】
特定の範囲に対して、サーバで作成された防災情報を含むコンテンツを含むワンセグ放送コンテンツを送信機を介して端末へ配信する情報配信システムであって、
前記防災情報を受信する受信部と、
前記防災情報に前記防災情報を優先して表示させる範囲である影響範囲情報を付加したデータ放送コンテンツを生成する演算処理部と、
前記演算処理部により生成したコンテンツを前記送信機する送信部と、
を備えるサーバと、
前記ワンセグ放送コンテンツを表示する表示部と、
操作を演算処理部に伝達する入力部と、
小エリアのエリア情報を付加された防災情報を含む前記ワンセグ放送コンテンツを受信する受信部と、
自己の位置情報を取得し、前記ワンセグ放送コンテンツに付加された前記影響範囲情報と前記位置情報とを比較し、影響範囲内に前記端末が存在すると判定した場合には、前記影響範囲情報を付加されたワンセグ放送コンテンツは、前記小エリアに前記端末が存在すると判定した場合には、前記小エリアのエリア情報を付加されたワンセグ放送コンテンツは、他の小エリアのエリア情報をもつワンセグ放送コンテンツよりも前記入力部の操作が少ない回数で表示部に表示させる演算処理部と、
を備える端末と
を備える情報配信システム。
【請求項６】
ワンセグ放送コンテンツを演算処理部を備える端末の表示部に表示させるプログラムであって、
前記演算処理部に、
前記端末の位置情報を取得する機能と、
前記ワンセグ放送コンテンツに付加された影響範囲情報と前記位置情報とを比較する機能と、
前記影響範囲情報と、前記位置情報とに基づき前記影響範囲内に前記端末が存在すると判定した場合には、優先して前記防災情報を前記表示部に表示する機能と、
を実現させるプログラム。
【請求項７】
ワンセグ放送コンテンツを演算処理部を備える端末の表示部に表示させるプログラムであって、
前記演算処理部に、
前記端末の位置情報を取得する機能と、
前記ワンセグ放送コンテンツに付加された影響範囲情報と前記位置情報とを比較する機能と、
前記影響範囲情報と、前記位置情報とに基づき前記影響範囲内に前記端末が存在すると判定した場合には、前記影響範囲情報をもつワンセグ放送コンテンツは、前記小エリアに前記端末が存在すると判定した場合には、前記小エリアのエリア情報を付加されたワンセグ放送コンテンツは、他の小エリアのエリア情報をもつワンセグ放送コンテンツよりも前記入力部の操作が少ない回数で表示部に表示させる機能と、
を実現させるプログラム。
【発明の詳細な説明】
【技術分野】
【０００１】
本発明の実施形態は、サーバ、端末、情報配信システム及びプログラムに関する。
【背景技術】
【０００２】
２００６年より開始されたワンセグ放送は、地上デジタル放送における十三セグメントの帯域幅のうち一セグメントを使用した低帯域放送である。このワンセグ放送技術を利用し、大型店舗・公共施設など配信エリアを限定したサービス（エリア限定ワンセグ）がある。
【先行技術文献】
【特許文献】
【０００３】
【特許文献１】特開２００９−２６０５６１号公報
【発明の概要】
【発明が解決しようとする課題】
【０００４】
ここで、ワンセグ放送で提供するコンテンツでは使用できる帯域幅が狭いことから一画面に表示できる情報が少ない。また、基地局の配置関係などにより予め定められた提供エリア内では共通のコンテンツが配信され、提供エリア内の自身に影響する情報を含むコンテンツを閲覧するためには、初期画面から階層表示された画面を何度も選択するなど、見たいまたは有用な情報に到達するまで複数の操作手順を踏む必要がある。
【０００５】
上記の事情に鑑み、コンテンツ情報量をできるだけ多くかつ速やかに配信・表示することができるサーバ、端末、情報配信システム及びプログラムを提供する。
【課題を解決するための手段】
【０００６】
上記目的を達成するために、本実施形態のサーバは、防災情報を受信する受信部と、前記防災情報に前記防災情報を優先して表示させる範囲である影響範囲情報を付加したデータ放送コンテンツを生成する演算処理部と、前記演算処理部により生成したデータ放送コンテンツを前記送信機へ送信する送信部と、を備える。
【０００７】
を備える。
【図面の簡単な説明】
【０００８】
【図１】本発明の第１の実施形態に係る情報配信システムの構成を示す図。
【図２】本発明の実施形態に係る情報公開サーバの構成を示す図。
【図３】本発明の実施形態に係る端末の構成を示す図。
【図４】本発明の第１の実施形態の防災情報提供部、地域情報提供部、情報公開サーバおよびコンテンツ配信装置の動作を説明するためのフローチャート。
【図５】本発明の第１の実施形態の送信機および端末の動作を説明するためのフローチャート。
【図６】本発明の第２の実施形態に係る情報配信システムの構成を示す図。
【図７】本発明の第２の実施形態の送信機および端末の動作を説明するためのフローチャート。
【発明を実施するための形態】
【０００９】
以下、本発明の実施態様について図面を参照しながら説明する。
【００１０】
（第１の実施形態）
本実施形態のコンテンツ選択表示システムは、図１に示すように、防災情報提供部１１と、地域情報提供部１２と、情報公開サーバ１３と、コンテンツ配信装置１４と、送信機２０（２０Ａ、２０Ｂ、２０Ｃ）、端末３０とを含む構成である。防災情報提供部１１と、地域情報提供部１２と、情報公開サーバ１３と、コンテンツ配信装置１４とは、有線または無線で接続されている。コンテンツ配信装置１４と送信機２０（２０Ａ、２０Ｂ、２０Ｃ）はインターネットなどの通信ネットワーク１００により接続されている。送信機２０（２０Ａ、２０Ｂ、２０Ｃ）と端末３０は、無線通信により接続される。
【００１１】
防災情報提供部１１は、気象注警報、土砂災害警報情報、地震情報、事故情報、犯罪などの事件情報等を防災情報として収集し、内部のデータベース（図示しない）に保存する。また、これらの防災情報の発生地域や発生源等の位置情報を防災情報と関連付けて保存する。その他の情報として避難誘導、発生時刻も保存してもよい。これらの保存された情報を情報公開サーバ１３へ配信する。また、防災情報提供部１１は、映像コンテンツを収集し、これら映像コンテンツをコンテンツ配信装置１４へ配信する。
【００１２】
地域情報提供部１２は、観光情報、イベント情報、交通情報、行政情報、お知らせ情報、気象情報といった事象を、地域情報として収集し、内部のデータベース（図示しない）に保存する。これらの事象の位置情報と地域情報を関連付けて保存する。その他に時刻等の情報も保存してもよい。これらの保存された情報を情報公開サーバ１３へ配信する。また、地域情報提供部が取得したライブ映像、映像素材などの映像コンテンツをコンテンツ配信装置１４へ配信する。
【００１３】
情報公開サーバ１３は、図２に示すように受信部１３１、演算処理部１３２、送信部１３４とを含む構成である。
【００１４】
受信部１３１は、防災情報提供部１１または地域情報提供部１２から防災情報、地域情報を受信する。
【００１５】
演算処理部１３２は、収集した防災情報、地域情報を含んだデータ放送コンテンツを作成する。具体的なデータ放送の作成方法について図１を参照しながら説明する。本実施形態では受信した防災情報及び地域情報の各データは、各データごとに
１．提供するエリア情報Ａ、Ｂ、Ｃ（送信機の位置情報およびコンテンツ提供可能範囲等）
２．緊急度（例えば、緊急度が高い地震の場合はＭ、有る程度の緊急度の事故情報は１など予め設定された値を付与）
３．事象発生源からの影響範囲（例えば、地震ならば広く、事故情報なら地震より狭めの影響範囲）
の属性を付加したデータ放送コンテンツを作成する。
【００１６】
データが防災情報であれば、気象注警報、土砂災害警報情報、地震情報、事故情報、犯罪などの事件情報の各属性情報をさらに付加する。
【００１７】
データが地域情報であれば、観光情報、イベント情報、交通情報、行政情報、お知らせ情報、気象情報の各属性情報を付加する。
【００１８】
これらの付加された属性情報は後述する端末３０にインストールされたアプリケーションにより読み取られ利用される。
【００１９】
送信部１３４は、演算処理部１３２で作成したデータ放送コンテンツをコンテンツ配信装置１４へ送信する。
【００２０】
コンテンツ配信装置１４は、防災情報提供部１１及び地域情報提供部１２から収集した映像コンテンツと、情報公開サーバ１３から受信したデータ放送コンテンツをもとにワンセグ放送コンテンツを作成する。作成したワンセグ放送コンテンツを通信ネットワーク１００を介して、送信機２０（２０Ａ、２０Ｂ、２０Ｃ）へ配信する。
【００２１】
送信機２０（２０Ａ、２０Ｂ、２０Ｃ）は、ワンセグ放送コンテンツの配信をそれぞれのエリアに対して行う。本実施形態では、送信機２０Ａは、提供エリアＡに、送信機２０Ｂは、提供エリアＢに送信機２０Ｃは、提供エリアＣに、提供する。
【００２２】
端末３０は、図３に示すように受信部３０１、演算処理部３０２、記憶部３０３、送信部３０４と入力部３０５と表示部３０６とを含む構成であり、携帯電話やスマートフォンなど各種持ち運び可能な携帯端末である。
【００２３】
受信部３０１は、送信機２０から配信されてきたワンセグ放送コンテンツを受信する。
【００２４】
演算処理部３０２は、受信部３０１で受信したワンセグ放送コンテンツから緊急度情報および影響範囲情報を抽出する。また、端末３０の位置（ＧＰＳ）情報を取得する。
【００２５】
次に、インストールされたアプリケーション（プログラム）によりワンセグ放送コンテンツに割り当てられた影響範囲情報と端末の位置（ＧＰＳ）情報とを比較する。比較した結果、端末３０の位置がワンセグ放送コンテンツに付加された影響範囲内に含まれている場合、該当する影響範囲情報をもつワンセグ放送コンテンツを表示する。
【００２６】
その他、表示方法として該当する影響範囲情報を付加されたワンセグ放送コンテンツは、入力部のＮ（Ｎ≧０、Ｎは整数）段階の操作で表示可能であるが、その他の影響範囲情報を付加されたワンセグ放送コンテンツついては、Ｎ＋１段階以上の操作を行わなければ表示部に表示できないとしてもよい。
【００２７】
記憶部３０３は、各種アプリケーション（プログラム）、データを保存し、これらを演算処理部３０２の要求により提供する。
【００２８】
送信部３０４は、自己の位置情報を取得するために基地局や人工衛星等へ必要な情報を送信する。
【００２９】
入力部３０５は、例えばキーボード等の入力インターフェースである。
【００３０】
表示部３０６は、ワンセグ放送コンテンツを表示する画面である。例えば液晶画面や有機ＥＬ画面である。
【００３１】
通信ネットワーク１００は、ＩＰネットワークなどの通信回線である。本実施形態では有線のごとく記載しているが、有線、無線を問わず各種通信ネットワークを利用することができる。
【００３２】
次に本実施形態の動作について図４を参照しながら説明する。
【００３３】
防災情報提供部１１は、気象注警報、土砂災害警報情報、地震情報、事故情報、犯罪などの事件情報等を防災情報として収集する（ステップＳ１１１）。
【００３４】
次に、これらの防災情報の発生地域や発生源等の位置情報とステップＳ１１１で取得したデータとを関連付けて内部のデータベース（図示しない）に保存する。その他の情報として避難誘導、発生時刻も保存してもよい（ステップＳ１１２）。
【００３５】
次に、これらの保存された情報を情報公開サーバ１３へ配信する（ステップＳ１１３）。
【００３６】
また、防災情報提供部１１は、ＣＣＴＶなどから映像コンテンツ収集し、これら映像コンテンツをコンテンツ配信装置１４へ配信する（ステップＳ１１４、１１５）。
【００３７】
地域情報提供部１２は、観光情報、イベント情報、交通情報、行政情報、お知らせ情報、気象情報といった事象を、地域情報として収集し、内部のデータベース（図示しない）に保存する（ステップＳ１２１）。
【００３８】
上記事象の位置情報を上記ステップＳ１２１で収集した地域情報と関連付けて保存する。その他に時刻等の情報を保存してもよい（ステップＳ１２２）。
【００３９】
これらの保存された情報を情報公開サーバ１３へ配信する（ステップＳ１２３）。
【００４０】
また、地域情報提供部が取得したライブ映像、映像素材などの映像コンテンツをコンテンツ配信装置１４へ配信する（ステップＳ１２４、Ｓ１２５）。
【００４１】
ステップＳ１１３およびステップＳ１２３により送られてきた情報を受信した情報公開サーバ１３は、収集した情報を含んだデータ放送コンテンツを作成する。
【００４２】
具体的には、演算処理部１３２が、収集した防災情報、地域情報を含んだデータ放送コンテンツを作成する。本実施形態では受信した防災情報の各データは、各データごとに
１．提供するエリア情報Ａ、Ｂ、Ｃ（送信機の位置情報およびコンテンツ提供可能範囲等）
２．緊急情報（例えば、緊急度が高くなるにつれて１〜Ｍの値を付与してもよい）
３．事象発生源からの影響範囲
の属性を付加したデータ放送コンテンツを作成する。（ステップＳ１３１、Ｓ１３２）。
【００４３】
次に、送信部３０４よりステップＳ１３２で作成したコンテンツをコンテンツ配信装置１４へ配信する（ステップＳ１３３）。
【００４４】
ステップＳ１３３で生成されたデータ放送コンテンツおよびステップＳ１２３から送られてきた映像コンテンツを受信したコンテンツ配信装置１４は、防災情報提供部１１及び地域情報提供部１２から収集した映像コンテンツと、情報公開サーバ１３から受信したデータ放送コンテンツをもとにワンセグ放送コンテンツを作成する（ステップＳ１４１、Ｓ１４２、Ｓ１４３）。
【００４５】
作成したワンセグ放送コンテンツを通信ネットワーク１００を介して、送信機２０（２０Ａ、２０Ｂ、２０Ｃ）へ配信する（ステップＳ１４４）。
【００４６】
ステップＳ１４４により送られてきたワンセグ放送コンテンツを受信した送信機２０（２０Ａ、２０Ｂ、２０Ｃ）は、データの配信をそれぞれのエリアに対して行う。本実施形態では、送信機２０Ａは、提供エリアＡに、送信機２０Ｂは、提供エリアＢに送信機２０Ｃは、提供エリアＣに、提供する（ステップＳ２０１）。
【００４７】
端末３０は、アプリケーション機能により端末のＧＰＳ位置情報を読み込む（ステップＳ３０１）。またステップＳ２０１により送信機から送られてきたワンセグ放送コンテンツを受信する（ステップＳ３０２）。
【００４８】
ステップＳ３０２で受信したワンセグ放送コンテンツが緊急情報を付加されていない場合は、通常の映像コンテンツを表示する（ステップＳ３０６）。
【００４９】
ステップＳ３０２で受信したワンセグ放送コンテンツが緊急情報を付加されている場合は、ステップＳ３０１で読み込んだＧＰＳの位置情報と、ステップＳ３０２で受信したワンセグ放送コンテンツに付加された影響範囲情報とを比較し、ＧＰＳの位置がワンセグ放送コンテンツの影響範囲に含まれるか否かの判定を行う（ステップＳ３０４、Ｓ３０５）。
【００５０】
含まれない場合は、通常のワンセグ放送コンテンツを表示する（ステップＳ３０６）。
【００５１】
含まれる場合は、影響範囲内にある端末３０は特定のコンテンツを表示することができるが、その他の位置にある端末では、通常のワンセグ放送コンテンツを表示する。
【００５２】
なお、このような場合にコンテンツは端末３０の入力部のＮ（Ｎ≧０、Ｎは整数）段階の操作で表示可能とし、その他の位置にある端末については、Ｎ＋１段階以上の操作を行わなければ表示部に表示できないとしてもよい（ステップＳ３０７）。
【００５３】
このように、端末３０は、表示部に端末３０の周辺に関連する情報を優先的に速やかに配信し表示させることができる。
【００５４】
（第２の実施形態）
第２の実施形態について説明する。本実施形態では図６に示すように提供エリアＡは小エリアＡ１、Ａ２、Ａ３に分割したものとして説明する。提供エリアＢ、Ｃも同様に小エリアに分割されている。
【００５５】
第２の実施形態は第１の実施形態と異なる点は、主に演算処理部１３２内および端末３０内で行われる処理である。
【００５６】
本実施形態の演算処理部１３２は、第1の実施形態で付加した属性に加え、防災情報や地域情報などのデータは各データごとに、各データに含まれている位置情報に基づき小エリアＡ１、Ａ２、Ａ３、Ｂ１、…のうちいずれか一つ以上のエリアに関連付けてデータ放送コンテンツを作成する。各データに含まれている位置情報に基づき二以上のエリアを選択する場合もある。
【００５７】
本実施形態のコンテンツ配信装置１４は、防災情報提供部１１及び地域情報提供部１２から収集した映像コンテンツと、情報公開サーバ１３から受信した上記データ放送コンテンツをもとにワンセグ放送コンテンツを作成する。作成したワンセグ放送コンテンツを送信機２０（２０Ａ、２０Ｂ、２０Ｃ）を介して端末３０へ配信する。
【００５８】
本実施形態の端末３０は、アプリケーション機能により端末の位置（ＧＰＳ）情報を読み込み、ＧＰＳ位置情報に該当する小エリアＡ１乃至Ａ３の位置情報が属性情報として付加された情報とを比較する。該当する小エリア内に端末３０があるとされた場合は、さらに、ワンセグ放送コンテンツに割り当てられた影響範囲情報と端末のＧＰＳ位置情報とを比較する。比較した結果、端末３０の位置がワンセグ放送コンテンツに付加された影響範囲内に含まれている場合、該当する影響範囲情報をもつワンセグ放送コンテンツを表示する。
【００５９】
次に本実施形態の動作について図４、図７を用いて説明する。
【００６０】
ステップＳ１０１〜ステップＳ３０４までは第１の実施形態と同様であるので省略する。
【００６１】
ステップ３０４で端末３０のＧＰＳの位置情報と、ワンセグ放送コンテンツを提供するエリア情報とを比較し、ＧＰＳの位置がワンセグ放送コンテンツを提供するエリアに含まれるか否かの判定を行い、含まれない場合は、通常の映像コンテンツを表示する（ステップＳ３０４−ＮＯ、ステップＳ３０６）。
【００６２】
含まれる場合として例えば端末３０が小エリアＡ１にいる場合は、さらに影響範囲に端末３０が含まれているか否かを判定する。影響範囲に含まれていない場合には該当するエリア情報のワンセグ放送コンテンツを表示する（ステップＳ３０５−ＮＯ、ステップＳ３０８）。
【００６３】
影響範囲に含まれている場合は、影響範囲内にある端末３０はコンテンツを表示することができるが、その他のエリアについては、表示しない。
【００６４】
このようにすることで、第１の実施形態に比べさらに選択されたコンテンツのみ表示することができ、必要なコンテンツを迅速に提供することができる。
【００６５】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１  …  位置計測システム
１０（１０Ａ、１０Ｂ）  …  無線端末
１００、２００、３００…  エリア
２０（２０Ａ、…、２０Ｌ）  …  無線基地局
３０  …  位置計測部
３１  …  計測記憶部
４０  …  計測制御部
５０  …  無線基地局選択部
５１  …  無線端末存在エリア記憶部
【図１】
2012182532.tif 000003
【図２】
2012182532.tif 000004
【図３】
2012182532.tif 000005
【図４】
2012182532.tif 000006
【図５】
2012182532.tif 000007
【図６】
2012182532.tif 000008
【図７】
2012182532.tif 000009